(57)【要約】【課題】良好な美観を呈し、紙リサイクルにおいて綴じ部の断裁が不要で、リサイクルの障害を取り除く冊子型チラシを提供する。【解決手段】冊子型チラシは広告を印刷している、全葉形刷紙１と半葉形刷紙２とを備える。チラシは全葉形刷紙１の幅方向中心から偏心させた綴じ部Ｂで綴じられる。綴じ部Ｂは全葉形刷紙１の高さ方向に倣い塗布される水溶性のり５で綴じられ、全葉形刷紙１を綴じ部内側縁端に沿って折り、直線状の背３を形成する。【選択図】図１
2007111925.tif 000002
【特許請求の範囲】
【請求項１】
それぞれ広告を印刷している全葉形刷紙と、半葉形刷紙とを備え、前記全葉形刷紙の幅方向中心から偏心させて前記双方の刷紙を綴じ合わせる綴じ部を形成している冊子型チラシにおいて、前記綴じ部が前記全葉形刷紙の高さ方向に倣い塗布される水溶性のりで綴じられ、前記全葉形刷紙を前記綴じ部内側縁端に沿って折り、直線状の背を形成するようにしたことを特徴とする冊子型チラシ。
【請求項２】
用紙に広告を印刷する工程、刷紙を同一サイズまたは異なるサイズの第１区分と第２区分とに切り離す工程、切り離された前記刷紙の一方にのりを塗布する工程、前記双方の刷紙を重ねて接着する工程、前記刷紙を２つ折りに折る工程、前記刷紙を決められたサイズに断裁する工程を含む冊子型チラシの作製方法。
【発明の詳細な説明】
【技術分野】
【０００１】
本発明は良好な美観を呈し、紙リサイクルの徹底で綴じ部の断裁が不要で、リサイクルの障害となるのを回避するようにした冊子型チラシおよびその作製方法に関する。
【背景技術】
【０００２】
新聞に折り込むチラシおよびポスティング・チラシ等は増加の一途を辿っている。折り込みにおいては人手に頼ることが多く、折り込みに要する費用も増加している。一般に、チラシに多量の広告等を掲載するとき、大判のチラシ（たとえば、Ｂ３、Ｂ２およびＢ１サイズ）が用いられるが、これは新聞の折り込みサイズを超えるので、新聞の折り込みサイズ（４０６．５×２７３ｍｍ）に収めるようにするにはチラシを折らなければならない。大判としないで小判の何枚かのチラシを適当な手段で綴ること、あるいは綴じ合わせないで作製することも行われている。折られた大判のチラシおよび綴った小判のチラシのどちらも新聞への折り込みの際には一枚チラシ同様にその取り扱いが容易でなければならない。
【０００３】
ところで、当然のことであるが、チラシは広告のために大量印刷が前提となる。今日、チラシ印刷は全自動印刷機の使用で大量印刷が可能になっている。同時に、その後のチラシ折り、綴りなども自動折り機および自動綴り機によって発注者の要求通りのチラシを作製することができる。特に、印刷した後にチラシ用紙を綴るための綴じ機については針金を用いることが多い。この工程では束ねたチラシ用紙の背側に細い針金を打ち込み、用紙の腹側に飛び出した針金先端を紙面近くまで折り曲げることになる。
【発明の開示】
【発明が解決しようとする課題】
【０００４】
チラシに対する要望の一つに美観に優れた冊子の形態に作製するという、高い品質レベルの要求がある。この冊子型チラシで複数の紙を綴じ合わせるのに従来の針金等の綴じ手段を使用したものは背の部分に針金等が露出し、美観が損なわれると共に、針金の突出で安全性において大いに問題がある。また、こうした手段は紙リサイクルにおいて古紙回収の際に綴じ部の断裁が必要になり、リサイクルを徹底するうえで障害になる。
【０００５】
チラシの美観が損ねられるのを回避する方法にはチラシ印刷後に用紙を折りながら、紙面にゼリー状ののり等を塗布して用紙同士を接着する方法がある。しかしながら、この方法はのりの塗布の仕方が難しく、大量印刷に向く技術が確立されていない。
【０００６】
一方、背の綴じ手段として接着剤等を使用し、美観を損ねる接着剤等を適当な方法で覆って隠すこともある。しかしながら、こうした方法は工程が複雑になり、コストの上昇を招くことから、チラシのように大量に印刷するものには適さない。
【０００７】
本発明の目的は良好な美観を呈し、しかも紙リサイクルにおいて綴じ部の断裁が不要で、リサイクルの障害を取り除くようにした冊子型チラシおよびその作製方法を提供することにある。
【課題を解決するための手段】
【０００８】
本発明に係る冊子型チラシはそれぞれ広告を印刷している全葉形刷紙と、半葉形刷紙とを備え、全葉形刷紙の幅方向中心から偏心させて双方の刷紙を綴じ合わせる綴じ部を形成している冊子型チラシにおいて、綴じ部が全葉形刷紙の高さ方向に倣い塗布される水溶性のりで綴じられ、全葉形刷紙を綴じ部内側縁端に沿って折り、直線状の背を形成するようにしたことを特徴とするものである。
【０００９】
本発明の冊子型チラシの綴じ部は全葉形刷紙の高さ方向に倣い塗布される水溶性のりで綴じられ、全葉形刷紙を綴じ部内側縁端に沿って折り、直線状の背を形成する。このようなチラシによれば、背の部分に突起物が存在しないので、チラシが直線状のすっきりした外観を呈する。また、背に突起物がないことから、背に手を触れたときに指先が突起物に当たる可能性がなく、安全性を高めることができる。
【００１０】
一方、このような冊子型チラシによれば、冊子の綴じ部が水溶性のりで綴じられるので、紙リサイクルではチラシ回収後に綴じ部の断裁が不要であって、水中にチラシを漬けて繊維をバラバラに解き、再生紙のための再生パルプを生成することができる。
【００１１】
さらに、本発明の冊子型チラシの作製方法は用紙に広告を印刷する工程、刷紙を同一サイズまたは異なるサイズの第１区分と第２区分とに切り離す工程、切り離された刷紙の一方にのりを塗布する工程、双方の刷紙を重ねて接着する工程、刷紙を２つ折りに折る工程、刷紙を決められたサイズに断裁する工程を含むものである。
【発明を実施するための最良の形態】
【００１２】
本発明に係る冊子型チラシの一実施の形態について図面を参照して説明する。図１（ａ）において、本発明の冊子型チラシはサイズの異なる２枚の刷紙を有し、この刷紙は決められたサイズの全葉形刷紙１と、全葉形刷紙１の半分のサイズを有する半葉形刷紙２とからなる。全葉形刷紙１と半葉形刷紙２とは重ねてのり（後記）で綴じられ、６頁の冊子形態にまとめられている。このチラシは綴じ部背面の背３と、反対側の小口４とを有する。
【００１３】
より詳しく述べると、全葉形刷紙１は、図１（ｂ）に示すように、幅ｗと高さｈとを有する。幅ｗは印刷工程で断裁を行った後に得られる標準寸法であり、これは用紙幅の約２／３区分に相当する値である。半葉形刷紙２はその残り区分で、標準寸法は用紙幅の約１／３に相当する。この幅ｗの中心から図において右に偏心させ、刷紙同士を綴じ合わせる綴じ部Ｂが形成される。この綴じ部Ｂに合わせて半葉形刷紙２の紙端が重ねられ、刷紙２の紙端に塗布する水溶性のり５（図１（ｃ）参照）で全葉形刷紙１と半葉形刷紙２とが接着される。綴じ部Ｂ内側縁端に沿って全葉形刷紙１が折られ、刷紙１の背面に直線状の背３が形成される。水溶性のり５は印刷工程においてインキが乾燥した後、一様な幅をもって塗布される。
【００１４】
刷紙１、２の各頁には必要な広告を印刷している。これは、所要サイズの用紙から各頁に広告を刷り上げ、高級感のある刷紙を得ることができる。高級感を出す印刷は、好ましくは、同時多色印刷、同時表裏印刷が可能である自動輪転印刷機による。
【００１５】
水溶性のりの一例はファイン・ライン・グルー（販売者：日本ボールドウィン株式会社）の呼び名で市場で取引される、接着液である。この接着液は粘度２５０ｍＰａ（２０°Ｃ）、ｐＨ４．５の白色液体であり、水に完全に溶解する。
【００１６】
このような冊子型チラシにおいては背３に針金のような突起物が存在しないので、チラシが直線状の整った外観を呈する。また、背３に手で触れたとき、突起物がないので、突起物と当たる可能性がなく、安全性を高めることができる。
【００１７】
綴じ部が水溶性のり５で形成されるので、一枚チラシと同様にチラシ回収後に綴じ部の断裁を行わないで、水中において繊維をバラバラに解き、再生紙のための再生パルプを生成することができる。
【００１８】
本発明の異なる実施の形態について図２を参照して説明する。２枚の刷紙は決められたサイズの全葉形刷紙６と、全葉形刷紙６の半分よりも幾分小さいサイズの半葉形刷紙７とからなる。全葉形刷紙６と半葉形刷紙７とは重ねてのりで綴じられ、６頁の冊子形態にまとめられている。上記実施の形態のチラシと同様に、綴じ部内側縁端に沿って全葉形刷紙６が折られ、全葉形刷紙６の背面に背３が形成される。
【００１９】
全葉形刷紙６の幅は印刷後にスリッタによって標準寸法に仕上げられ、本実施例では標準寸法は用紙幅の約３／４区分に相当する値である。一方、半葉形刷紙７はその残り区分で、標準寸法は用紙幅の約１／４区分に相当する。
【００２０】
全葉形刷紙６の幅の中心から右方向に偏心させて綴じ部Bが形成されており、綴じ部Bに合わせて半葉形刷紙７の紙端が重ねられ、紙端に塗布する水溶性のりで全葉形刷紙６と半葉形刷紙７とが接着される。全葉形刷紙６が綴じ部Bの内側縁端に沿って折られ、全葉形刷紙６の背面に直線状の背３が形成される。
【００２１】
本実施の形態の冊子型チラシにおいても上記実施の形態と同様に、チラシが直線状の外観を呈し、背３に突起物が存在しないので、安全性を高めることができる。また、綴じ部が水溶性のりで綴じられ、チラシ回収後に綴じ部の断裁を行わないで、水中で繊維をバラバラに解き、再生パルプを生成することができる。
【００２２】
なお、上記各実施の形態は全葉形刷紙について２／３、３／４のように切りのよい値で区分したものを説明したが、必ずしもこのような区分である必要はなく、２／３〜３／４の間の任意の値で区分するようにしてもよい。半葉形刷紙も１／３、１／４のように切りのよい値としないで、１／３〜１／４の間の任意の値で区分するようにしてもよい。
【００２３】
本発明の冊子型チラシの作製方法について説明する。初めに、給紙装置から輪転印刷機に用紙を送って印刷する。用紙は印刷胴を巡りつつ、版胴からブランケット胴にインキの転移を行い、さらにブランケット胴のインキを用紙両面に転移して文字およびその他が印刷される。この刷紙は一定の温度の保たれるドライヤに送られ、熱風によってインキが乾燥する。
【００２４】
続いて、刷紙は、図３に示すように、連続して設けられるローラ１１に達し、低温に保たれるローラ１１に触れて冷却される。刷紙はローラ１２を巡って流れ、図４に示す回転するカッタを有する１／３＋２／３リボンスリッタ１３に達する。この１／３＋２／３リボンスリッタ１３で刷紙は用紙幅の１／３区分と２／３区分とに切り離される。なお、刷紙を切る値として１／３区分および２／３区分として表わしているが、これは説明の便宜のためであり、切り方は１／３〜１／４または２／３〜３／４の間の任意の値で切ることが可能である。
【００２５】
切り離された２つの刷紙（以後、一方を第１刷紙（２／３区分）と呼び、他方を第２刷紙（１／３区分）と呼ぶ）は２組設けられるターンバー部１４で第１刷紙Ｐ１と第２刷紙Ｐ２とが上下に整列した並びを維持するように位置を合わされる。
【００２６】
一定の間隔を置いて流れる第１刷紙Ｐ１および第２刷紙Ｐ２のうち、下側を流れる第２刷紙Ｐ２に対してのり噴射器１５からのりが塗布される（たとえば、紙端から５ｍｍ以内の部分）。続いて、第２刷紙Ｐ２に上側を流れる第１刷紙Ｐ１が接近してドラッグローラ１６の地点で第１刷紙Ｐ１が第２刷紙Ｐ２と重なる。このとき、第２刷紙Ｐ２ののりを塗布した紙端部分は第１刷紙Ｐ１の中心から偏心した位置で重なり、両刷紙の密着により第１刷紙Ｐ１と第２刷紙Ｐ２とが綴じられる。この冊子は未断裁のために冊子同士はつながっている。そして、綴じられた第１刷紙Ｐ１と第２刷紙Ｐ２とがフォーマ部１７に達し、三角板１８で縦方向に２つ折りに折られる。
【００２７】
この折り工程では刷紙が冊子綴じ部の内側縁端に沿って折られる。このとき、第１刷紙Ｐ１の背面に一直線状の背が形成される。続いて、刷紙は、図５に示すように、断裁部１９に流れ、断裁胴２０によって決められた大きさに断裁される。断裁された刷紙は断裁部１９の下流に設けられる羽根車２１において１冊単位に分けられる。羽根車２１で分離したチラシはコンベア２２上に落下し、図示しないトリマー装置に送られる。
【００２８】
以上の手順で図１（ａ）に示すような６頁からなる冊子形態のチラシを作製することができる。
【００２９】
なお、本実施の形態では刷紙へののりの塗布について第２刷紙Ｐ２に対して塗布する方法を述べたが、第１刷紙に対してのりを塗布するようにしてもよい。
【産業上の利用可能性】
【００３０】
本発明の冊子型チラシは良好な美観を呈し、かつ紙リサイクルにおいて綴じ部の断裁が不要になるなど、極めて有用である。
【図面の簡単な説明】
【００３１】
【図１】本発明による冊子型チラシを示すもので、（ａ）は冊子型チラシの斜視図、（ｂ）は（ａ）に示される全葉形刷紙の平面図、（ｃ）は綴じ部の詳細を示す断面図である。
【図２】本発明の冊子型チラシの異なる実施の形態を示す斜視図である。
【図３】本発明による冊子型チラシの作製方法のうち、冷却工程を示す図である。
【図４】本発明による冊子型チラシの作製方法のうち、のり塗布、接着および折り工程を示す図である。
【図５】本発明による冊子型チラシの作製方法のうち、断裁および搬送工程を示す図である。
【符号の説明】
【００３２】
１、６…  全葉形刷紙
２、７…  半葉形刷紙
３…  背
４…  小口
５…  のり
１３…  １／３＋２／３リボンスリッタ
１５…  のり噴射器
１８…  三角板
２０…  断裁胴
【図１】
2007111925.tif 000003
【図２】
2007111925.tif 000004
【図３】
2007111925.tif 000005
【図４】
2007111925.tif 000006
【図５】
2007111925.tif 000007